(57)【要約】【課題】環境に与える影響を抑制でき、且つ、工事費の低減が可能なヘリコプターによる建造物又は樹木の撤去方法の提供を課題とする。【解決手段】本発明においては、電柱１０、鉄塔、アンテナ、看板、信号機若しくは各種のポールなどの構造物、又は樹木をヘリコプター２０で吊り上げて撤去する。本発明によれば、撤去すべき電柱１０などが山間部に設置されている場合に、電柱１０などの周囲における比較的狭い範囲を伐採すればよく、また、電柱１０を切断しないのでコンクリート片が周囲に散乱することがない。従って、環境に与える影響を抑制できる。また、撤去した電柱１０をヘリコプター２０で運搬できるので、電柱１０が山間部に設置されている場合でも、索道やモノレールなどを設置する必要がなく、工事費を大幅に低減できる。【選択図】図４
2005229828.tif 000002
【特許請求の範囲】
【請求項１】
構造物又は樹木をヘリコプターで吊り上げて撤去することを特徴とするヘリコプターによる構造物又は樹木の撤去方法。
【請求項２】
前記構造物は、電柱、鉄塔、電信柱、アンテナ、看板、信号機又はポールであることを特徴とする請求項１に記載のヘリコプターによる構造物又は樹木の撤去方法。
【請求項３】
一部又は全部が地中に埋設されている前記構造物、又は前記樹木を撤去する際には、前記構造物又は前記樹木の周囲の土を掘削して、前記構造物又は前記樹木にかかる土圧を解放することを特徴とする請求項１または２に記載のヘリコプターによる構造物又は樹木の撤去方法。
【請求項４】
前記土を掘削する前に、前記構造物の転倒を防止する転倒防止手段を設けることを特徴とする請求項３に記載のヘリコプターによる構造物又は樹木の撤去方法。
【請求項５】
前記転倒防止手段は、前記構造物又は前記樹木と地面又は他の固定物間に設けられたワイヤーロープであることを特徴とする請求項４に記載のヘリコプターによる構造物又は樹木の撤去方法。
【請求項６】
前記ヘリコプターによって前記構造物又は前記樹木を吊り上げ、前記ワイヤーロープに引張力がかかった状態で切断することを特徴とする請求項５に記載のヘリコプターによる構造物又は樹木の撤去方法。
【請求項７】
前記ワイヤーロープにおける切断予定位置の両側の部分を、着脱自在なロープで連結することを特徴とする請求項６に記載のヘリコプターによる構造物又は樹木の撤去方法。
【請求項８】
前記ヘリコプターの吊上用ワイヤーと前記構造物又は前記樹木間に、伸縮自在な紐部材を介在させることを特徴とする請求項１から７のいずれかに記載のヘリコプターによる構造物又は樹木の撤去方法。
【発明の詳細な説明】
【技術分野】
【０００１】
本発明は、電柱、鉄塔、アンテナ、看板、信号機、各種のポールなどの構造物、又は伐採目的の樹木などを撤去する場合、特に、山間部や急傾斜地において前記構造物又は前記樹木を撤去する場合に好適なヘリコプターによる構造物又は樹木の撤去方法に関する。
【背景技術】
【０００２】
例えば、電柱を撤去する場合、電柱の設置場所が比較的平坦で周囲に障害物がない場合には、建柱車やクレーン車などの作業用車両を用いて撤去するのが一般的である。
【０００３】
しかし、電柱の設置場所が、例えば山間部や急傾斜地或いは周囲に障害物がある場合には、上記の作業用車両を使用することができない。このような場合、従来は、コンクリートカッターで電柱を切断して撤去するのが一般的であった。
【０００４】
また、従来は、山間部において電柱を撤去する場合、切断した電柱を索道又はモノレールを使用して他の場所に運搬していた。
【発明の開示】
【発明が解決しようとする課題】
【０００５】
しかしながら、従来のように電柱を切断して撤去する方法では、山間部で撤去作業をする場合に、電柱周辺の大規模な伐採が必要になり、また、電柱を切断する時に発生するコンクリート片が周囲に散乱し、環境に悪影響を及ぼすおそれがあった。
【０００６】
そのため、従来の電柱を切断して撤去する方法は、電柱が国立公園内などに設置されている場合には、採用することができなかった。
【０００７】
また、従来のように山間部で電柱を撤去する際に、切断した電柱を索道又はモノレールによって運搬する方法では、工事費が嵩むという問題があった。
【０００８】
このような問題は、電柱を撤去する場合に限らず、山間部や急傾斜地など作業用車両を使用できない場所に設置されている構造物、例えば鉄塔、アンテナ、看板、信号機若しくは各種のポール、又は樹木を撤去する際に同様に発生する問題である。
【０００９】
本発明は、このような問題に鑑みなされたもので、環境に与える影響を抑制でき、且つ、工事費の大幅な低減が可能なヘリコプターによる建造物又は樹木の撤去方法の提供を課題とする。
【課題を解決するための手段】
【００１０】
本発明は、前記課題を解決するため、以下の手段を採用した。すなわち、本発明は、構造物又は樹木を、ヘリコプターで吊り上げて撤去することを特徴とする。前記構造物としては、電柱、鉄塔、電信柱、アンテナ、看板、信号機又はポールなどを例示できる。
【００１１】
本発明では、構造物又は樹木を切断する必要がないので、構造物又は樹木が山間部に設置されている場合でも、構造物又は樹木の周囲をそれほど広く伐採する必要がない。
【００１２】
また、構造物又は樹木の撤去時に、コンクリート片が周囲に散乱することがない。更に、撤去した構造物又は樹木は、そのままヘリコプターで運搬できる。
【００１３】
ここで、一部又は全部が地中に埋設されている前記構造物、又は樹木を撤去する場合は、前記構造物又は樹木の周囲の土を掘削して、前記構造物又は前記樹木にかかる土圧を解放する。これにより、ヘリコプターに不測の重量がかかるのを防止できる。
【００１４】
また、前記構造物又は前記樹木の周囲の前記土を掘削する前に、前記構造物又は前記樹木の転倒を防止する転倒防止手段を設けるのが望ましい。高さの高い構造物や樹木は転倒しやすいので、転倒防止手段を設ける。
【００１５】
前記転倒防止手段としては、前記建造物又は前記樹木と前記土又は他の固定部とを結ぶワイヤーロープを例示できる。この場合は、転倒防止手段の構成を簡略化できる。
【００１６】
上記のように転倒防止手段として、ワイヤーロープを用いる場合は、前記ヘリコプターによって前記構造物又は前記樹木を吊り上げ、前記ワイヤーロープに引張力がかかった状態で切断する。
【００１７】
このように構造物又は樹木をヘリコプターで吊り上げてから、ワイヤーロープを切断することにより、ワイヤーロープを切断したときに構造物又は樹木が転倒するのを確実に防止できる。
【００１８】
また、前記ワイヤーロープの切断予定位置の両側を、着脱自在なロープで連結するのが望ましい。
【００１９】
撤去すべき構造物又は樹木をヘリコプターで吊り上げたときには、ワイヤーロープに引張力が作用しているので、これを切断した場合、そのままでは切断部の両側のワイヤーロープが引張力によって予期せぬ方向に跳ねるおそれがあるが、本発明では切断部の両側をロープで連結しているので、ワイヤーロープが跳ねる範囲を小さく抑えることができる。
【００２０】
前記ヘリコプターに設けられた吊上用ワイヤーと前記構造物又は前記樹木間には、伸縮自在な紐部材、例えばソフトスリングを介在させるのが望ましい。
【００２１】
この場合は、構造物又は樹木をヘリコプターで吊り上げたときに、最初に紐部材が徐々に伸びて吊上用ワイヤーに作用する引張力、すなわち、ヘリコプターにかかる荷重が徐々に増加する。従って、ヘリコプターに構造物又は樹木の重量が急激に作用するのを防止できる。
【００２２】
なお、上記の各構成は、本発明の趣旨を逸脱しない限り、互いに組み合わせることが可能である。
【発明の効果】
【００２３】
以上説明したように、本発明によれば、撤去すべき構造物又は樹木が山間部に設置されている場合に、その周囲をそれほど広く伐採する必要がなく、また、コンクリート片が周囲に散乱することもないので、環境に与える影響を抑えることができる。
【００２４】
また、撤去した構造物又は樹木はそのままヘリコプターで運搬できるので、索道やモノレールを使用する必要がなく、工事費を大幅に低減できる。
【発明を実施するための最良の形態】
【００２５】
以下、本発明の実施形態を添付した図１から図５に基づいて説明する。
【００２６】
本例では、まず、図１及び図２に示すように、電柱１０をヘリコプター２０で吊り上げ
るための準備工事を行い、次に、図３及び図４に示すように、電柱１０の吊り上げ工事を行う。
【００２７】
準備工事においては、図１に示すように、まず、電柱１０をヘリコプター２０で吊り上げるときに転倒するのを防止するため転倒防止手段を設ける。本例では、転倒手段としてワイヤーロープ１１を使用するが、これ以外のものを使用することもできる。
【００２８】
ワイヤーロープ１１は、その一端を電柱１０の上部側に固定し、他端を地面１２に固定する。電柱１０の周囲に固定物がある場合は、この固定物にワイヤーロープ１１を固定してもよい。
【００２９】
ワイヤーロープ１１の中間部分には、図２に示すように、セーフティロープ１３を着脱自在に設ける。このセーフティロープ１３は、後述のようにワイヤーロープ１１を切断した際に、切断部の両側のワイヤーロープ１１，１１が引張力によって予期せぬ方向に跳ねるのを防止するために設けるものである。
【００３０】
セーフティロープ１３の両端には、着脱治具である巻き付けグリップ１４，１４が設けられている。これらの巻き付けグリップ１４，１４を、ワイヤーロープ１１における切断予定位置１５の両側の部分に取り付ける。
【００３１】
図１に示すように、ワイヤーロープ１１を電柱１０に取り付ける前若しくは後、又は同時に、電柱１０の上端部に伸縮自在な紐部材であるソフトスリング１６を取り付ける。本例では、ソフトスリング１６を２本使用する。
【００３２】
これらのソフトスリング１６は、電柱１０の上端部に貫通させて設けられたボルト１７によって位置ずれを防止する。このソフトスリング１６の先端には、台付けワイヤー１８を設ける。この台付けワイヤー１８の先端には、フック１９が設けられている。
【００３３】
このようにして準備工事を終了した後、図３に示すように、ソフトスリング１６が垂れ下がったままの状態で、ソフトスリング１６の先端に設けた台付けワイヤー１８のフック１９に、ヘリコプター２０から垂れ下がっている吊り上げ用ワイヤー２１の先端に設けられたフック２２を係止する。
【００３４】
次に、図４に示すように、ヘリコプター２０を上昇させる。そして、電柱１０が少し浮き上がった状態でヘリコプター２０を停止する。この状態では、電柱１０を支えているワイヤーロープ１１に引張力Ｆが作用する。
【００３５】
次に、ワイヤーロープ１１を切断予定位置１５（図２参照）から切断する。そうすると、ワイヤーロープ１１に作用していた引張力Ｆによって、切断部２３の両側の部分が予期せぬ方向に跳ねるおそれがあるが、本例では、切断部２３の両側の部分がセーフティロープ１３によって連結されているので、ワイヤーロープ１１，１１の跳ねる範囲が小さくなる。
【００３６】
次に、セーフティロープ１３をワイヤーロープ１１，１１から外す。これにより、切断部２３より上側のワイヤーロープ１１が解放される。次に、ヘリコプター２０を上昇させて、電柱１０をある程度の高さまで吊り上げる。
【００３７】
この後、図５に示すように、ヘリコプター２０を操作して、電柱１０を吊り上げたまま所定の場所まで運搬する。これによって、電柱１０の撤去作業が終了する。
【００３８】
このように、本発明では、電柱１０をヘリコプター２０で吊り上げて撤去するので、従来のコンクリートカッターで切断して撤去する場合のように、コンクリート片が周囲に散乱することがない。
【００３９】
また、準備工事として、電柱１０に転倒防止用のワイヤーロープ１１を取り付けると共に、電柱１０の周囲の土を少し掘削するだけなので、電柱１０の周囲に樹木及び草木が密集していたとしても、電柱１０の周囲の狭い範囲を伐採するだけで作業できる。
【００４０】
従って、本発明では、環境に与える影響を抑制できるので、例えば国立公園などに設置されている電柱１０などを撤去する際に好適である。
【００４１】
また、本発明では、電柱１０をヘリコプター２０で吊り上げ、そのまま所定の場所に運搬するので、山間部に電柱１０が設置されている場合でも、撤去した電柱１０を運搬するために、索道やモノレールなどの設備を設置する必要がない。従って、工事費を大幅に削減できる。
【００４２】
また、電柱１０の周囲の土を掘削して電柱１０にかかる土圧を解放するので、ヘリコプター２０に不測の重量がかかるのを防止できる。
【００４３】
また、電柱１０は、吊り上げる前にワイヤーロープ１１で支えているので、ヘリコプター２０で吊り上げる前及び吊り上げ時に、電柱１０が転倒するのを確実に防止できる。
【００４４】
更に、ヘリコプター２０に設けられた吊上用ワイヤー２１と、電柱１０との間に、ソフトスリング１６を介在させるので、ヘリコプター２０に電柱１０の重量が急激に作用するのを防止できる。
【００４５】
なお、上述の実施例では、電柱１０を撤去する場合について説明したが、本発明は電柱１０の撤去に限らず、鉄塔、電信柱、アンテナ、看板、信号機、各種のポール（例えば鯉のぼりを上げるポール、国旗など旗を掲揚するポールなど）などの構造物、又は樹木を撤去する場合に適用できる。樹木を撤去する場合は、根の大部分が露出されるまで土を掘削する。
【００４６】
また、上記の構造物が、全体的に地中に埋設されている場合でも本発明を適用できる。この場合も、構造物の周囲の土を掘削して、構造物にかかる土圧を解放することにより、ヘリコプターで吊り上げることができる。
【００４７】
また、本発明は、上記の撤去すべき構造物の一部又は全部が地中に埋設されておらず、構造物全体が地上に露出している場合にも適用できる。
【図面の簡単な説明】
【００４８】
【図１】実施形態に係る準備工事を示す図である。
【図２】実施形態に係るセーフティロープの取り付け方法を示す図である。
【図３】実施形態に係る準備工事を示す図である。
【図４】実施形態に係る電柱の吊り上げ工事を示す図である。
【図５】実施形態に係る電柱の運搬方法を示す図である。
【符号の説明】
【００４９】
１０    電柱
１１    ワイヤーロープ
１２    地面
１３    セーフティロープ
１４    グリップ
１５    切断予定位置
１６    ソフトスリング
１７    ボルト
１８    台付けワイヤー
１９    フック
２０    ヘリコプター
２１    吊上用ワイヤー
２２    フック
２３    切断部
【図１】
2005229828.tif 000003
【図２】
2005229828.tif 000004
【図３】
2005229828.tif 000005
【図４】
2005229828.tif 000006
【図５】
2005229828.tif 000007